(57)【要約】【課題】急勾配の法面に植生基材を安定して固定させる構造、方法を提供する。【解決手段】縦枠は、縦方向に配置した鉄筋などと、その外周に吹き付けたモルタルなどで構成する。横枠は横方向に配置した、断面がＬ字状であるＬ字金網と、その内部に吹き付けた植生基材によって構成する。【選択図】図３
2010138629.tif 000002
【特許請求の範囲】
【請求項１】
傾斜した法面の傾斜方向と平行に縦枠を備え、この縦枠とほぼ直交する方向に横枠を備えた法枠の構造であって、
縦方向に配置した鉄筋などと、その外周に吹き付けたモルタルなどで構成した縦枠と、
横方向に配置した、断面がＬ字状であるＬ字金網と、その内部に吹き付けた植生基材によって構成した横枠と、
縦枠と横枠で包囲された法面に吹き付けた植生基材とによって構成した、
法枠の構造。
【請求項２】
傾斜した法面の傾斜方向と平行に縦枠を備え、この縦枠とほぼ直交する方向に横枠を備えた法枠の施工方法であって、
まず縦枠の鉄筋などを配置し、
縦枠の鉄筋と交差させて、
断面がＬ字状の金網で構成したＬ字金網を配置し、
縦枠の鉄筋の外周にモルタルを吹き付け、
Ｌ字金網の内部、および縦枠と横枠で包囲された法面に植生基材を吹き付けて行う、
法枠の施工方法。
【請求項３】
Ｌ字状の金網で構成したＬ字金網は、
その上向き面の網目が、
正面向きの網目よりも広い間隔で形成してある、
請求項１、２記載の法枠の構造、および法枠の施工方法。
【発明の詳細な説明】
【技術分野】
【０００１】
本発明は、法枠の構造と施工方法に関するものである。
【背景技術】
【０００２】
傾斜した法面の傾斜方向と平行に縦枠を備え、この縦枠とほぼ直交する方向に横枠を備えた法枠の構造は、多数の工法や特許発明が存在して広く知られ、利用されている。
さらに縦横の法枠で囲まれた法面に植生基材を吹き付けて、囲まれた範囲を緑化する工法も広く採用されている。
【発明の開示】
【発明が解決しようとする課題】
【０００３】
しかし従来の法枠では一般に急勾配の法面での施工に問題があった。
すなわち、急勾配の法面に植生基材を吹き付けた場合に法面への定着が良好ではなく、その後の風雨によって剥落し易いという問題があった。
【課題を解決するための手段】
【０００４】
上記のような課題を解決する本発明の法枠の構造は、傾斜した法面の傾斜方向と平行に縦枠を備え、この縦枠とほぼ直交する方向に横枠を備えた法枠の構造であって、縦方向に配置した鉄筋などと、その外周に吹き付けたモルタルなどで構成した縦枠と、横方向に配置した、断面がＬ字状であるＬ字金網と、その内部に吹き付けた植生基材によって構成した横枠と、縦枠と横枠で包囲された法面に吹き付けた植生基材とによって構成したことを特徴としたものである。
【０００５】
さらに本発明の法枠の施工方法は、傾斜した法面の傾斜方向と平行に縦枠を備え、この縦枠とほぼ直交する方向に横枠を備えた法枠の施工方法であって、まず縦枠の鉄筋などを配置し、縦枠の鉄筋と交差させて、断面がＬ字状の金網で構成したＬ字金網を配置し、縦枠の鉄筋の外周にモルタルを吹き付け、Ｌ字金網の内部、および縦枠と横枠で包囲された法面に植生基材を吹き付けて行うことを特徴としたものである。
【発明の効果】
【０００６】
本発明の法枠の構造と施工方法は以上説明したようになるから、横枠に吹き付けた植生基材２２が流出しがたく、かつ急勾配の法面において、見かけの勾配を緩いものとすることができる。
その結果、植生基材を安定した状態で保持でき、風雨や地下水に対しても崩落、剥離しにくい状態で育成することができる。
【発明を実施するための最良の形態】
【０００７】
以下図面を参照にしながら本発明の好適な実施の形態を詳細に説明する。
【実施例】
【０００８】
＜１＞前提条件。
本発明の対象は、傾斜した法面の傾斜方向と平行に縦枠１を備え、この縦枠１とほぼ直交する方向に横枠２を備えた法枠の構造である。
ここでいう縦や横とは、法面の前面に立って見た場合に、ほぼ縦方向、横方向に配置する枠体のことをいい、必ずしも精密な意味で、鉛直、水平を維持していることを意味するものではない。
したがって法面の凹凸によっては縦枠１、横枠２といっても、多少傾斜した状態で配置してある枠体も含む意味である。
【０００９】
＜２＞縦枠。
縦枠１は、金網、あるいは縦枠鉄筋１１の上からモルタル、コンクリートを吹き付けて構成したものである。
そのために、法面にアンカーや縦枠鉄筋１１を打設し、このアンカーなどを支持体として、金網や縦枠鉄筋１１を定着して、縦枠１の主筋とする。
その主筋に、後述する横枠２のＬ字金網２１を取り付けた後、モルタルやコンクリートを吹き付け、その外周を包囲して縦枠１として構成する。
【００１０】
＜３＞横枠。
横枠２は断面がＬ字状の金網であるＬ字金網２１と、その内部に吹き付けた植生基材２２とで構成する。
このＬ字金網２１は、１枚の金網を断面Ｌ字状に折り曲げたもの、２枚の金網を溶接したものなどで構成する。
このＬ字金網２１を、モルタルなどの吹きつけの前に縦枠１の主筋に固定する。
このＬ字金網２１は、法面に取り付けた場合に、階段状に上向き面と、正面向き面が構成される。
このＬ字金網２１の網目の間隔は均一ではなく、正面向きの網目２１ａが上向きの金網２１ｂの網目が、よりも広い間隔で形成してあることを特徴とする。
あるいは上向き面、正面向き面の網目の間隔を等しい溶接金網などで構成しておき、正面向きの金網２１ａの内側に網目の間隔の狭いクリンプ金網を敷いて構成することもできる。
本発明でいうＬ字金網２１とは上記のように正面と上向きの網目の間隔の異なる二種類の金網を組み合わせて構成したものも含むものである。
ここで広い網目とは、後述する植生基材２２の土粒子、種子などをＬ字金網２１内に吹き込んだ場合に、跳ね返り率が少なく、その吹き込みが比較的容易な程度の間隔をいう。
それに対して、狭い網目とは、Ｌ字金網２１内に吹き込んだ植生基材２２の土粒子、種子などが流出しにくい程度の間隔をいう。
【００１１】
＜４＞施工方法。
次に上記の材料を使用した法枠の施工方法を説明する。
【００１２】
＜５＞法面金網の敷設。
整地した法面ｓの表面に敷設金網３を設置する。
この金網３は、法面の適宜の箇所に打ち込んだアンカー鉄筋によって法面ｓからのずれ落ちを阻止して固定する。
なお、図１、２では状況を明確化するために、敷設金網３の記載を省略してある。
【００１３】
＜６＞縦枠鉄筋の配置。
縦枠１の設置する位置、すなわち法面に面して縦方向に向けて、金網、あるいは縦枠鉄筋１１を配置する。
この金網、あるいは縦枠鉄筋１１も、法面の適宜の箇所に打ち込んだアンカー鉄筋によって法面からのずれ落ちを阻止して固定する。
【００１４】
＜７＞Ｌ字金網の配置。
この縦枠１の縦枠鉄筋１１などと交差させて、断面がＬ字状の金網で構成したＬ字金網２１を配置する。
このＬ字金網２１は断面がＬ字状であるから、ちょうど階段状に法面に配置することができる。
その結果、階段の「踏面（ふみずら）」に相当する上向き面２１ｂと、階段の「蹴込み」に相当する正面向き面２１ａを構成することができる。
その場合に前記したようにＬ字金網２１の網目の間隔は同一ではなく、正面向きの金網２１ａの網目が、上向きの金網２１ｂの網目よりも狭い間隔で形成してあり、後述する植生基材２２がＬ字金網２１の上からは容易に入るが、正面からは流出し難く構成してあることが特徴である。
【００１５】
＜８＞縦枠への吹き付け。
縦枠１の縦枠鉄筋１１を包囲する状態で、その外周にモルタルなどを吹き付ける。
その結果、法面ｓの縦方向には複数本のモルタル製の縦枠１を設置することができる。
この際に、横枠２のＬ字金網２１の端部と、縦枠１の鉄筋１１との連結部もモルタルの内部に埋設されて一体化して固定される。
【００１６】
＜９＞植生基材の吹き付け。
完成した縦枠１以外の位置へ、公知の植生基材２２を、公知の吹き付け方法で吹き付ける。
吹き付ける場所は、Ｌ字金網２１の内部、および縦枠１と横枠２で包囲された地山の露出面である。
この際に、Ｌ字金網２１の上向き面の金網の目の間隔が、植生基材２２の吹き込みが容易な程度に広く設定してあるので、植生基材２２の土砂や種子を、容易にＬ字金網２１の内部に設置することができる。
【００１７】
＜１０＞Ｌ字金網の機能。
Ｌ字金網２１の内部に吹き込んだ植生基材２２は、その後の風雨や地下水の湧出によってＬ字金網２１から流出しやすい。
しかし本発明のＬ字金網２１は、その正面向きの金網２１ａの目が、少なくとも上向きの金網２１ｂの目の間隔よりも狭く構成してある。
そのために、Ｌ字金網２１の内部に吹き込まれた植生基材２２は、その後の風雨などの影響によって流出しがたいものである。
【００１８】
＜１１＞傾斜の緩和。
前記したように、本発明の主要な用途は特に、従来から植生基材２２の定着が困難であるような急勾配の法面ｓを対象としている。
そのような対応が可能である理由は、図３に示すように、Ｌ字金網２１の上向きの金網２１ｂの上に盛り上げて吹き付ける植生基材２２が、法面ｓ側が高くなる角度αで吹き付けることによる。
このようにＬ字金網２１の上面に吹き付ける植生基材２２の表面の法面ｓ側が高くなる角度αで吹き付けると、吹き付け面の傾斜が元来の法面ｓの傾斜βと比較して大幅に緩和された状態を呈することになる。
この傾斜のβからαへの緩和と、正面向きの金網２１ａの網目の間隔が狭い、という理由によって吹き付け後の風雨や地下水の湧水があっても、Ｌ字金網２１内の植生基材２２は流出しがたく、急傾斜の法面ｓに対して、良好に発芽する植生を期待することができることになる。
【図面の簡単な説明】
【００１９】
【図１】本発明の法枠の構造であって、縦枠、横枠にモルタルや植生基材を吹き付ける前の状態の説明図。
【図２】縦枠にモルタルを吹き付けた後の状態の説明図。
【図３】横枠に植生基材を吹き付けている状態の説明図。
【符号の説明】
【００２０】
１：縦枠
２：横枠
２１：Ｌ字金網
２１ａ：正面向きの金網
２１ｂ：上向きの金網
【図１】
2010138629.tif 000003
【図２】
2010138629.tif 000004
【図３】
2010138629.tif 000005